(57)【要約】【課題】用紙の端の部分に付着したトナーに対して確実に熱を加えて融解接着することを可能とする装置を提供する。【解決手段】圧着レバー１と、加熱部５と、テーブル４と、通電部３とを備えるトナー熱圧着装置において、トナーが付着した用紙のトナー付着領域を、前記圧着レバー１と前記加熱部５に挟み込まれる位置へ配置するために当該用紙を固定する切り欠き部を有する補助具６を備え、前記補助具６により前記用紙が固定された状態で、前記テーブル４が押されると、前記圧着レバー１と前記加熱部５が前記用紙を挟み込むと共に、前記通電部３に流れた電気により前記加熱部５から熱を発し、当該用紙に付着したトナーを融解接着することを特徴とする。【選択図】図１
0003163638.tif 000002
【実用新案登録請求の範囲】
【請求項１】
圧着レバー１と、加熱部５と、テーブル４と、通電部３とを備えるトナー熱圧着装置において、
トナーが付着した用紙のトナー付着領域を、前記圧着レバー１と前記加熱部５に挟み込まれる位置へ配置するために当該用紙を固定する切り欠き部を有する補助具６を備え、
前記補助具６により前記用紙が固定された状態で、前記テーブル４が押されると、前記圧着レバー１と前記加熱部５が前記用紙を挟み込むと共に、前記通電部３に流れた電気により前記加熱部５から熱を発し、当該用紙に付着したトナーを融解接着することを特徴とするトナー熱圧着装置。
【考案の詳細な説明】
【技術分野】
【０００１】
用紙に付着しているトナーを熱で融解して、複数の用紙を綴じる装置に関する。
【背景技術】
【０００２】
複数ページの印刷物を綴じる場合、印刷装置のステイプル機能を用いることになるが、テイプルした書類を何部も重ねると、ステイプルの部分だけ厚みが増し、きれいに収納できないという問題がある。
【０００３】
そこで、ステイプルを用いずに用紙を綴じる方法があると書類の整理が容易となる。
【０００４】
ここで、用紙に付着したトナーに熱を加えることで融解接着する技術が知られている。
【０００５】
例えば、特許文献１には、高価な特殊糊を塗布する必要がなく、低コストで容易に封書を作成することができる封書シール方法が開示されている。
【先行技術文献】
【特許文献】
【０００６】
【特許文献１】特開平０９−１１００５１
【考案の概要】
【考案が解決しようとする課題】
【０００７】
しかしながら、特許文献１に記載の発明は、封書を接着するものであって、ビジネス文書のような一般の印刷用紙に付着しているトナーに熱を加えて、用紙を綴じるものではない。
【０００８】
現在の印刷装置は、用紙にトナーを付着させて文書を印刷させることまではできるが、トナーを融解して接着する機能はない。そのため、融解接着するには、別の装置を用いる必要がある。
【０００９】
また、印刷用紙を接着する場合、通常、トナーを付着させる領域は用紙の端となるため、確実に熱を加えるためには、加熱する位置を調整する必要がある。
【００１０】
そこで、本考案は、上記課題を解決するものであり、用紙の端の部分に付着したトナーに対して確実に熱を加えて融解接着することを可能とする装置を提供する。
【課題を解決するための手段】
【００１１】
本考案は、圧着レバー１と、加熱部５と、テーブル４と、通電部３とを備えるトナー熱圧着装置において、トナーが付着した用紙のトナー付着領域を、前記圧着レバー１と前記加熱部５に挟み込まれる位置へ配置するために当該用紙を固定する切り欠き部を有する補助具６を備え、前記補助具６により前記用紙が固定された状態で、前記テーブル４が押されると、前記圧着レバー１と前記加熱部５が前記用紙を挟み込むと共に、前記通電部３に流れた電気により前記加熱部５から熱を発し、当該用紙に付着したトナーを融解接着することを特徴とする。
【考案の効果】
【００１２】
本考案によれば、用紙の端の部分に付着したトナーに対して確実に熱を加えて融解接着することを可能となる。
【図面の簡単な説明】
【００１３】
【図１】トナー熱圧着装置の全体図
【図２】トナー熱圧着装置で挟み込む用紙の例を示す図
【図３】トナー熱圧着装置で挟み込む用紙の例を示す図
【図４】用紙をトナー圧着装置のテーブル上に置いた例を示す図
【図５】用紙をトナー圧着装置のテーブル上に置いた例を示す図
【図６】トナー熱圧着装置の動作を示す図
【図７】圧着レバーと加熱部の断面図
【図８】補助具と用紙の関係を説明する図
【考案を実施するための形態】
【００１４】
図１は、トナー熱圧着装置の全体図である。
【００１５】
トナー熱圧着装置は、圧着レバー１、圧着板２、通電部３、テーブル４、加熱部５、保護具６、シリコンゴム７、加熱時間調整ツマミ８、ナット９、電源コード１０を備える。
【００１６】
圧着レバー１は、用紙を挟み込むためのレバーである。この圧着レバーは、圧着板２とシリコンゴム７とから構成されている。シリコンゴム７と加熱部５の間に用紙を挟み込む仕組みとなっている。
【００１７】
テーブル４は、用紙を置く台である。
【００１８】
加熱部５は、用紙に熱を加える部分である。通電部３に電気を流すことにより熱を発する仕組みとなっている。
【００１９】
補助具６は、用紙の位置を固定するための器具である。
【００２０】
加熱時間調整ツマミ８は、加熱部５で用紙に加える加熱時間を調整するツマミである。
【００２１】
ナット９により、補助具６を固定している。調整方法は、ナット９を緩め、補助具６を前後に移動させた後、ナット９を締める。
【００２２】
電源コード１０は、家庭用コンセントから電源の供給を受けるためのコードである。
【００２３】
図２および３は、トナー熱圧着装置で挟み込む用紙の例を示す図である。
【００２４】
いずれも用紙Ａの裏面にトナーが付着し、用紙Ｂの表面にトナーが付着していることを示している。このトナーの付着は、印刷時に行われるものであり、用紙Ａと用紙Ｂを重ね合わせた際に、トナー付着領域が重なる位置となるように印刷されるものとする。
【００２５】
用紙Ａと用紙Ｂを重ねた状態で、トナーが付着している領域へ熱を加えることにより、トナーが融解し、接着させることができる。これにより用紙Ａと用紙Ｂは、ステイプル留め（ホチキス留め）したような状態となる。同じようにトナーを付着させておくことにより何枚でも綴じることが可能となる。
【００２６】
ここで、図２は、用紙上部にトナーを付着している例を示し、図３は、用紙右上部にトナーを付着している例を示している。このようにトナーを付着する領域の大きさや位置を変えることにより様々な留め方が可能となる。
【００２７】
なお、本実施の形態では、用紙の表と裏にトナーを付着する例を示したが、これに限らず、表か裏かのどちらかにトナーを付着してもよい。この場合、用紙の接着力は弱くなるので、接着した用紙を剥がしやすくすることができる。トナーの量により接着力を調整することができる。
【００２８】
図４〜６を用いて、トナー熱圧着装置の利用方法を説明する。
【００２９】
図４および図５は、用紙をトナー圧着装置のテーブル上に置いた例を示す図である。この図面は、トナー圧着装置のテーブルを上から見下ろす図面となっている。
【００３０】
いずれもトナーが付着している領域に熱を加えるために、トナー付着領域を加熱部５上に置いている。
【００３１】
図４の場合は、用紙上部の横に長いトナー付着領域全体を加熱部５上に置いている。この配置は、人が手で行うものであるため、トナー付着領域を加熱部５上へ置くために、補助具６をストッパーとしている。これにより、用紙位置を確実に加熱部５上へ置くことができるようになる。
【００３２】
図５の場合は、用紙右上部の小さい四角のトナー付着領域を加熱部５上に置いている。図４の場合と同様に、この配置は、人が手で行うものであるため、トナー付着領域を加熱部５上へ置くために、補助具６をストッパーとしている。図４の場合との違いは、補助具６の切り欠き部で用紙を固定している点である。このように補助具６に切り欠き部を設けることにより、必要な部分にのみ加熱部５で熱を加えることが可能となる。
【００３３】
次にトナー熱圧着装置の使い方を、図６を用いて説明する。
【００３４】
図６は、トナー熱圧着装置の動作を示す図である。
【００３５】
利用者は、（１）の位置で、テーブル４に用紙を置くと共に、加熱部５の上にトナー付着領域を置く。
【００３６】
テーブル４を（２）の位置まで押し下げると加熱部５上に置いた用紙が圧着レバー１で挟み込まれる。
【００３７】
（３）の位置で通電部３内のスイッチがオンになり加熱が開始される。ここで加熱される時間は、加熱時間調整ツマミ８で設定した時間となる。なお、加熱時間が長くなるほど、トナー熱圧着による接着力を強くすることができる。
図７は、圧着レバーと加熱部の断面図である。
【００３８】
圧着レバー１は、圧着板２とシリコンゴム７とから構成される。
【００３９】
加熱部５は、上からテフロン（登録商標）１１、ヒーター１２、ガラステープ１３、サーコンシート１４の順に構成される。ヒーター１２により熱が発せられる。
【００４０】
図８は、補助具と用紙の関係を説明する図である。
【００４１】
用紙のトナー付着領域を、端から「ａ」離れた距離に「ｂ」の幅だけ付着させた場合、トナー付着領域が加熱部５の上に確実に配置されるように、加熱部５と補助具６との距離を調整する必要がある。具体的には、側面図の「β」の距離を調整する必要がある（補助具６を固定しているナット９を緩め、補助具６を前後に動かして、ナット９を締めることにより調整を行う。）この「β」の距離を調整することにより、「γ」の中に「ｂ」の幅のトナー付着領域を確実に置くことができる。
【００４２】
また、この調整した状態で、図５に示すように、例えば、用紙の右上部だけトナー付着を付着する場合（角接着をする場合）、トナー付着領域を加熱部５の上に配置するために、切り欠き部で用紙を固定する。この切り欠き部の幅「α」は、加熱部５と補助具６の距離と用紙に付着するトナー付着領域の位置を考慮して算出される値を用いるものとする。
【００４３】
以上説明した通り、本考案によれば、用紙の端の部分に付着したトナーに対して確実に熱を加えて融解接着することを可能となる。
【符号の説明】
【００４４】
１  圧着レバー
２  圧着板
３  通電部
４  テーブル
５  加熱部
６  補助具
７  シリコンゴム
８  加熱時間調整ツマミ
９  ナット
１０  電源コード
【図１】
0003163638.tif 000003
【図２】
0003163638.tif 000004
【図３】
0003163638.tif 000005
【図４】
0003163638.tif 000006
【図５】
0003163638.tif 000007
【図６】
0003163638.tif 000008
【図７】
0003163638.tif 000009
【図８】
0003163638.tif 000010